(57)【要約】【課題】表示器の変位を利用して入賞率を変化させ、ひいては遊技性の向上を図ることができるパチンコ機を提供する。【解決手段】パチンコ機１の遊技盤２の中央部分に配置される表示器付役物４の支持部裏面側突出部と内枠に固定された基台との間に駆動機構を設け、表示器付役物４を上下動可能に構成し、リーチ時に表示器付役物４を上方位置に設定する。表示器付役物４が上方位置に設定されると、環状壁・始動口間スペース１５は広くなると共に、入賞ルート１６も拡大し、単位時間当りの入賞個数の増加、すなわち入賞率の向上を図ることが可能となる。また、入賞ルート１６の拡大に伴い遊技球の移動範囲（すなわち遊技球の遊ぶエリア）が新たに形成されて広くなり、ひいては遊技性の向上を図ることができる。【選択図】　　　　図１
2004141477.tif 000002
【特許請求の範囲】
【請求項１】
遊技盤の入賞口の上方に表示器を備えたパチンコ機であって、前記表示器は、前記遊技盤の遊技面部に沿って移動可能に設けられると共に、前記遊技面部に形成した孔を通してその前面側部分が前記遊技面部の前面側に突出していることを特徴とするパチンコ機。
【請求項２】
予め定められる遊技条件が成立したとき、前記表示器を移動させることを特徴とする請求項１記載のパチンコ機。
【請求項３】
前記表示器の移動は、前記入賞口に対する入賞ルートを拡大する方向に行うことを特徴とする請求項２記載のパチンコ機。
【請求項４】
前記遊技条件の成立は、リーチ又は大当たり成立時であることを特徴とする請求項２又は３記載のパチンコ機。
【発明の詳細な説明】
【０００１】
【発明の属する技術分野】
本発明は、パチンコ機に係り、特に入賞ルートの大きさを変化させるようにしたパチンコ機に関する。
【０００２】
【従来の技術】
従来、パチンコ機の一例として、遊技盤の中央部に、液晶表示部を備えた可変表示装置を設け、その下側に入賞口を備えたものがある（以下、便宜上、従来技術１という。）。また、他のタイプのパチンコ機として、遊技盤の遊技領域の盤面中央には、装着ケースの前部に固定されたセンターケースが配設され、該装着ケースに図柄表示装置を構成する三個の図柄表示器が横方向に並設され、センターケースの中央に形成した窓孔から透孔板を介して図柄表示器の表面に配設された図柄表示部を視認し得るようにし、かつ図柄表示器を変位させるようにしたパチンコ機がある（以下、便宜上、従来技術２という。特許文献１参照）。
【０００３】
【特許文献１】
特開平９−１９５５２号公報
【０００４】
【発明が解決しようとする課題】
ところで、近時、液晶表示部のサイズの拡大化が進み、これに伴って表示器が大きくなり、遊技領域に占める表示器の割合（以下、表示器占有割合という。）が大きくなっている。そして、表示器占有割合が大きくなった分、遊技球が釘などに当って四方に乱れて反射しやすくなる。このため、表示器の下方に配置される入賞口への入賞率が大きく変化し、単位時間当りの入賞個数（以下、分間入賞個数という。）について安定した値を確保できなくなってきている。
【０００５】
この対策として、従来技術２の技術内容を、前記従来技術１に適用することが考えられる。しかしながら、従来技術２では、装着ケース又はセンターケースが遊技盤の前面に突出するものであり、従来技術２をそのまま前記従来技術１に適用して図柄表示器を従来技術２と同様に移動させるようにしても分間入賞個数の増加、すなわち入賞率の向上を期待できないというのが実状である。
【０００６】
本発明は、上記事情に鑑みてなされたもので、表示器の変位を利用して入賞率を変化させ、ひいては遊技性の向上を図ることができるパチンコ機を提供することを目的とする。
【０００７】
【課題を解決するための手段】
請求項１記載の発明は、遊技盤の入賞口の上方に表示器を備えたパチンコ機であって、前記表示器は、前記遊技盤の遊技面部に沿って移動可能に設けられると共に、前記遊技面部に形成した孔を通してその前面側部分が前記遊技面部の前面側に突出していることを特徴とする。
請求項２記載の発明は、請求項１記載の構成において、予め定められる遊技条件が成立したとき、前記表示器を移動させることを特徴とする。
【０００８】
請求項３記載の発明は、請求項２記載の構成において、前記表示器の移動は、前記入賞口に対する入賞ルートを拡大する方向に行うことを特徴とする。
請求項４記載の発明は、請求項２又は３記載の構成において、前記遊技条件の成立は、リーチ又は大当たり成立時であることを特徴とする。
【０００９】
【発明の実施の形態】
本発明の一実施の形態のパチンコ機を図１ないし図６に基づいて説明する。
図１ないし図３において、パチンコ機１の図示しない内枠に着脱可能に装着される遊技盤２には、ベニヤ板等からなる遊技面部３が備えられている。遊技面部３に設けられる遊技領域の中央部には、特別図柄表示装置（以下、表示器付役物という。本発明の表示器を構成する。）４が設けられている。遊技面部３における表示器付役物４の下側には、始動口５（入賞口）が設けられ、さらにその下側には、大入賞口６が設けられている。また、遊技面部３には、複数個の風車７、多数本の釘８等からなる遊技部品及び複数個の入賞口（図示省略）が設けられている。前記始動口５に遊技球が入賞すると、遊技者に有利な権利が発生する。
【００１０】
表示器付役物４は、図柄の変動表示をそれぞれ行う３つ部分からなる表示エリア９を前面側（遊技者側）に有する表示器本体１０（表示器付役物４の前面側部分）と、表示器本体１０の裏面側にこの表示器本体１０と直交するように設けられた表示器本体支持部１１と、を備えている。
前記表示エリア９の３つの部分は、前記始動口５へ遊技球が入賞すると、その表示図柄が変動し、予め定められた図柄変動パターンで表示する。表示エリア９３つの部分の表示図柄が所定の図柄でそろった状態が大当たりとされ、また、表示エリア９の２つの部分の表示図柄が前記所定の図柄となったときがリーチ状態とされる。
【００１１】
前記遊技面部３には、図２及び図６に示すように、表示器付役物４に対応して孔（以下、表示器挿入用孔という。）１２が形成されている。そして、表示器挿入用孔１２に表示器本体支持部１１が挿入され表示器本体１０が遊技面部３の前面側に突出している。
表示器本体１０は、正面視左右方向に延びる略長手形状をなしており、その外周部には環状壁１３が遊技面部３に対して垂直に延びている。環状壁１３は、前記内枠に開閉可能に蝶着されるガラス枠（図示省略）が閉じられたときにガラス枠のガラス４０に当接せず、かつガラス４０との間に形成される空間を遊技球が通過しないように高さ寸法が設定されている。また、このように環状壁１３の高さ寸法を設定したことにより、遊技中においては、遊技球が環状壁１３の内側（表示エリア９を配置した部分）には入らないようになっている。表示器本体１０は、表示器挿入用孔１２より大きく設定されており、表示器付役物４が後述するように上下動しても、遊技球が表示器挿入用孔１２を通過することがないように構成されている。
【００１２】
また、表示器付役物４が遊技盤２に装着された初期状態では、環状壁１３と始動口５との間には所定のスペース（以下、環状壁・始動口間スペースという。）１５が形成されている。また、多数本の釘８のうち始動口５より高いレベルにあって始動口５への入賞に関与する釘８と、環状壁１３と、によって構成される入賞ルート１６（環状壁・始動口間スペース１５を含む。）は、前記初期状態で、所定の大きさとされている。
【００１３】
前記表示器本体支持部１１は、表示器挿入用孔１２を通して遊技面部３の裏面側に突出し、当該突出部（以下、支持部裏面側突出部１７という。）は左右方向に大きい形状をなしており、後述する案内機構２０の軸部２８を固定するようにしている。また、図４及び図５に示すように、支持部裏面側突出部１７と前記内枠に固定された基台１８との間には駆動機構１９及び案内機構２０が介在されている。
駆動機構１９は、基台１８と支持部裏面側突出部１７との間に設けられたボールネジ機構２１と、モータ２２と、ボールネジ機構２１及びモータ２２間に設けられるギヤ機構２３と、から構成されている。ボールネジ機構２１には、雄ねじ２４を有するシャフト２５が備えられている。このシャフト２５がモータ２２の回転軸２６に対してギヤ機構２３を介して連結されており、モータ２２からの駆動力が伝達されるようになっている。
【００１４】
モータ２２は図示しないコントローラに制御されて作動される。そして、モータ２２の作動によりシャフト２５が、所定方向（シャフト２５を上から見て時計方向。以下、時計方向という。）に回転すると、ボールネジ機構２１は、回転運動を上方向の力に変えて支持部裏面側突出部１７に伝達し、表示器付役物４を上方向に移動させる。これにより、表示器付役物４は所定の位置（上方位置。図５）に設定される。このように表示器付役物４が上方位置になったとき、遊技盤面部３に遊技球が移動するスペースが形成されるように、表示器付役物４が遊技盤面部３に取付けられている。前記上方位置に対して、前記初期状態で表示器付役物４が設定された位置を、以下、便宜上、下方位置（図４の状態。図１で点線で示す。）という。
【００１５】
案内機構２０は、駆動機構１９を間にして配置される２組からなり、それぞれ、基台１８に垂設される筒部２７と、支持部裏面側突出部１７に下方に向けて取付けられて筒部２７に摺動可能に収納される軸部２８とからなっている。そして、案内機構２０は、表示器付役物４の上下動に際し、この表示器付役物４をバランス良く案内し得るようにしている。
【００１６】
このパチンコ機１では、始動口５へ遊技球が入賞して表示図柄の変動が行われリーチ状態になる（予め定められる遊技条件が成立する）と、コントローラによってモータ２２は制御されて作動し、シャフト２５を時計方向に回転させる。そして、シャフト２５の時計方向の回転により表示器付役物４は上方向に移動され前記上方位置（図５）に設定される。表示器付役物４が上方位置に設定されることにより、環状壁・始動口間スペース１５は広くなると共に、入賞ルート１６も拡大される。
【００１７】
このように環状壁・始動口間スペース１５が広くなると共に、入賞ルート１６が拡大されたことにより、分間入賞個数の増加、すなわち入賞率の向上を図ることが可能となる。また、入賞ルート１６の拡大に伴い遊技球の移動範囲（すなわち遊技球の遊ぶエリア）が新たに形成されて広くなり、ひいては遊技性の向上を図ることができる。
また、上方位置（図５）は、入賞ルート１６の大きさを考慮して設定しておくことが可能であり、このように設定することにより、入賞率を調整することができる。このため、予め見込んだ入賞率になるように上方位置を設定することにより、ホールの売上の調整が可能となり、ひいてはホール経営の安定化を図ることができる。
【００１８】
上記実施の形態では、予め定められる遊技条件の成立がリーチ状態である場合を例にしたが、これに代えて、大当り時、リーチ予告時、大当り中等としてもよい。
また、上記実施の形態では、表示器付役物４を予め下方位置に設定し、リーチ状態になると、表示器付役物４を上方位置に移動して、入賞ルート１６の拡大、ひいては入賞率の向上を図る場合を例にした。これに対し、表示器付役物４を予め上方位置に設定しておき、リーチ状態になると、表示器付役物４を下位置に移動して、入賞ルート１６の縮小、ひいては入賞率の低下を図り、遊技に変化を持たせるようにしてもよい。
【００１９】
上記実施の形態では、予め定められる遊技条件が成立すると、表示器付役物４を移動させて入賞率を変化させる場合を例にしたが、本発明はこれに限らず、遊技開始から所定時間経過後に移動させてもよいし、遊技中に表示器付役物４を周期的に上下動させるようにしてもよい。
また、表示器付役物４の位置設定は上方位置、下方位置に限られず、３以上の位置に設定するように構成してもよい。また、表示器付役物４の上方位置又は下方位置への移動の際、移動位置の近傍で表示器付役物４を断続的に上下動させるようにしてもよい。
【００２０】
上記実施の形態では、表示器付役物４を上下動させる場合を例にしたが、これに限らず、左右動、斜め方向の移動、又は回転動（揺動）させるようにしてもよい。
上記実施の形態では表示器が表示器付役物４である場合を例にしたが、これに代えて他の表示器を用いるようにしてもよい。
【００２１】
【発明の効果】
請求項１から請求項４までのいずれかに記載の発明によれば、表示器が遊技盤の遊技面部に沿って移動すると、表示器の前面側部分が入賞口に対して変位することになり、入賞口より上方レベルにおいて入賞口に対する遊技球の入賞ルートの大きさが変化する。このため、入賞率が変化し、ひいては遊技性が向上する。
【図面の簡単な説明】
【図１】本発明の一実施の形態に係るパチンコ機の遊技盤を模式的に示す正面図である。
【図２】図１のパチンコ機の通常時における入賞ルートを模式的に示す正面図である。
【図３】図１の表示器付役物の上方位置設定時における入賞ルートを模式的に示す正面図である。
【図４】図１の表示器付役物に用いられる駆動機構を模式的に示す図である。
【図５】図４の状態から表示器付役物を上方向に移動した状態を模式的に示す図である。
【図６】図１の表示器付役物の装着状態を模式的に示す一部断面の側面図である。
【符号の説明】
１　パチンコ機
２　遊技盤
３　遊技面部
４　表示器付役物（表示器）
５　始動口（入賞口）
１０　表示器本体（表示器付役物４の前面側部分）
１２　表示器挿入用孔
【図１】
2004141477.tif 000003
【図２】
2004141477.tif 000004
【図３】
2004141477.tif 000005
【図４】
2004141477.tif 000006
【図５】
2004141477.tif 000007
【図６】
2004141477.tif 000008